(57)【要約】【課題】  宅配ボックスの前方に十分なスペースを確保できなくても、荷物の出し入れが可能な宅配ボックスを提供する。【解決手段】  周囲４面及び底部が閉塞された箱本体１０と、当該箱本体１０の開放された上部を閉塞する蓋板２０とを有して、内部に宅配物を収納する収納空間Ｓが形成され、収納空間Ｓに収納した宅配物２を取り出すために上方に移動させる取り出し籠３０を配置して成り、取り出し籠３０は収納した宅配物２が載置される載置部３１と、取り出し籠３０を引き上げ操作するための把手部３２と、取り出し籠３０の前側を宅配物２を取り出し易いよう開放形成し、収納空間Ｓ内から引き上げられる途中、箱本体１０に係止して取り出し籠３０の位置が保持される位置保持手段３３とを有して、引き上げた取り出し籠３０が保持された状態で、前方から宅配物２の取り出しを可能とした。【選択図】  図１
2019162365.tif 000002
【特許請求の範囲】
【請求項１】
周囲４面及び底部が閉塞された箱本体と、当該箱本体の開放された上部を閉塞する蓋板とを有して、内部に宅配物を収納する収納空間が形成され、
当該収納空間に、収納した宅配物を取り出すために上方に移動させる取り出し籠を配置して成り、
前記取り出し籠は、収納した前記宅配物が載置される載置部と、
前記取り出し籠を引き上げ操作するための把手部と、
前記取り出し籠の少なくとも１側方から宅配物を取り出し可能とした側方開放部と、
前記収納空間内から引き上げられる途中、或いは引き上げられた状態で、前記箱本体に係止して前記取り出し籠の位置が保持される位置保持手段とを有して、
引き上げて保持された状態で、前記取り出し籠の前記側方開放部から宅配物の取り出しを可能としたことを特徴とする宅配ボックス。
【請求項２】
前記位置保持手段は、前記箱本体を内側から押圧する弾性部材であり、
前記取り出し籠の引き上げ操作により、前記弾性部材が前記箱本体の上部に露出すると、前記箱本体の上端に係止して前記取り出し籠の降下を阻止することを特徴とする請求項１記載の宅配ボックス。
【発明の詳細な説明】
【技術分野】
【０００１】
本発明は、配達された宅配物を一時的に保管する宅配ボックスに関する。
【背景技術】
【０００２】
居住者が留守にしている時でも宅配物の配達を可能とするために、宅配ボックスを設置した集合住宅が普及している。集合住宅に設置されている宅配ボックスは、例えば特許文献１に記載されているように、複数の収納部を有して、前方から荷物の出し入れが行われるよう構成されている。
【先行技術文献】
【特許文献】
【０００３】
【特許文献１】特開２０１４−１６６９２４号公報
【発明の概要】
【発明が解決しようとする課題】
【０００４】
宅配物は、郵便物に比較して大きい場合がほとんどであり、それを収納する宅配ボックスは郵便受けのように小型にはできない。そのため、奥行きのある形状となるし、扉は前開きであるため、宅配物の収納／取り出しがし易いよう広い設置スペースが必要であった。
しかしながら、既存の集合住宅のエントランスへ新たに設置しようとした場合、宅配ボクスを設置するスペースを確保できたとしても、前面に設けた扉を開けて荷物の出し入れをするのに十分な前方のスペースを確保できない場合があり、そのような場所には宅配ボックスの設置は難しかった。
【０００５】
そこで、本発明はこのような問題点に鑑み、宅配ボックスの前方に十分なスペースを確保できなくても、荷物の出し入れが可能な宅配ボックスを提供することを目的としている。
【課題を解決するための手段】
【０００６】
上記課題を解決する為に、請求項１の発明に係る宅配ボックスは、周囲４面及び底部が閉塞された箱本体と、当該箱本体の開放された上部を閉塞する蓋板とを有して、内部に宅配物を収納する収納空間が形成され、当該収納空間に、収納した宅配物を取り出すために上方に移動させる取り出し籠を配置して成り、取り出し籠は、収納した宅配物が載置される載置部と、取り出し籠を引き上げ操作するための把手部と、取り出し籠の少なくとも１側方から宅配物を取り出し可能とした側方開放部と、収納空間内から引き上げられる途中、或いは引き上げられた状態で、箱本体に係止して取り出し籠の位置が保持される位置保持手段とを有して、引き上げて保持された状態で、取り出し籠の側方開放部から宅配物の取り出しを可能としたことを特徴とする。
この構成によれば、引き上げた取り出し籠は状態が保持されるので、その状態で収納されている宅配物を側方開放部から取り出すことができる。そのため、箱本体の内底部に手を入れて宅配物を取り出す必要がないし、取り出し籠を完全に取り出す必要も無い。よって、前方から出し入れする形態でなくても宅配物の取り出しを実施でき、比較的狭いスペースであっても操作し易い宅配ボックスを提供できる。
【０００７】
請求項２の発明は、請求項１に記載の構成において、位置保持手段は、箱本体を内側から押圧する弾性部材であり、取り出し籠の引き上げ操作により、弾性部材が箱本体の上部に露出すると、箱本体の上端に係止して取り出し籠の降下を阻止することを特徴とする。
この構成によれば、位置保持手段は箱本体を押圧する弾性部材であるため、位置保持手段は簡易な構造で済む。
【発明の効果】
【０００８】
本発明によれば、引き上げた取り出し籠が保持され、その状態で収納されている宅配物を取り出すことができるため、取り出し籠を完全に引き出す必要が無いし、上方から箱本体の内底部に手を入れて宅配物を取り出す必要もない。よって、前方から出し入れする形態でなくても宅配物の取り出しを実施でき、比較的狭いスペースであっても操作し易い宅配ボックスの設置が可能となる。
【図面の簡単な説明】
【０００９】
【図１】本発明に係る宅配ボックスの一例を示す斜視図である。
【図２】位置保持手段の説明図であり、（ａ）は箱本体の上端に係止している状態、（ｂ）は収納空間に配置されている状態を示している。
【図３】図１の宅配ボックスの使用説明図である。
【発明を実施するための形態】
【００１０】
本発明を具体化した実施の形態を、図面を参照して詳細に説明する。図１は本発明に係る宅配ボックスの一例を示す斜視図であり、この図１に示すように宅配ボックス１は、周囲４面及び底部が閉塞された箱本体１０と、箱本体１０の開放された上部を閉塞する蓋板２０とを有し、箱本体１０の内部に宅配物の収納空間Ｓを形成している。そして、この収納空間Ｓに取り出し籠３０が配置されている。
尚、蓋板２０は開閉操作可能に箱本体１０に蝶着され、施錠部２１を有している。以下、蓋板２０の蝶着部位が箱本体１０の後部であり、前側が開放されるとして説明する。
【００１１】
取り出し籠３０は、収納空間Ｓに配置されて、収納された宅配物を取り出す際に引き上げて取り出し易くするものであり、収納された宅配物を載置する載置部３１と、収納空間Ｓの上部に配置されて引き上げ操作する把手部３２と、上部に移動した取り出し籠３０の降下を防止する位置保持手段３３とを有している。
具体的に、載置部３１は四角形の底枠３４に網部材３５が掛け渡されて形成され、収納空間Ｓの底部全体に亘る広さを有している。網部材３５は例えば金網が使用できる。そして、この底枠３４の４隅に収納空間Ｓの高さより僅かに短い支柱３６が配置され、その上部に１側方である前面側が開放されたコ字状の枠体３７が取り付けられている。把手部３２は、この枠体３７の対向する左右に取り付けられている。
【００１２】
尚、取り出し籠３０の開放形成された前面側は、底枠３４に近い下部に梁部材３８が掛け渡されており強度を保持している。また、底枠３４、支柱３６、コ字状の枠体３７、梁部材３８等は何れも金属製棒体で形成されている。また、ここでは、蓋板２０を後方に開放する構成としているため、取り出し籠３０の前面を側方開放部としているが、開放形成する面は取り出し易い方向であれば良く、前面側でなくとも良い。
【００１３】
位置保持手段３３は各支柱３６に設けられており、同一の高さに取り付けられ、支柱３６の略中央部位に配置されている。
図２は位置保持手段３３の説明図であり、図２（ａ）は箱本体１０の天面に係止して取り出し籠３０が保持されている状態、図２（ｂ）は取り出し籠３０が箱本体１０に収納されて、位置保持手段３３が収納空間Ｓに配置されている状態を示している。
位置保持手段３３は、金属棒を図２に示すようにＳ字状に折り曲げ形成された弾性を有する棒体３３ａから成り、基部は固定部材３３ｂを介して支柱３６に固着されている。この位置保持手段３３は、図２（ａ）に示す状態がストレスが加わっていない状態であり、図２（ｂ）に示す収納空間Ｓの内部に配置された状態では、矢印Ａに示す外方向に弾性力が発生している。
【００１４】
図３は宅配物の収納／取り出しの説明図であり、２が収納された宅配物を示している。図３（ａ）は宅配物２を収納した状態、図３（ｂ）は宅配物２の取り出しを示している。図３に示すように、宅配物２の収納は蓋板２０を開けて収納されるが、取り出しは取り出し籠３０を引き上げて行われる。
宅配物２の取り出しは、蓋板２０を開けて収納空間Ｓに収容されている取り出し籠３０の把手部３２を掴んで引き上げる。
引き上げられた取り出し籠３０は、引き上げの途中で位置保持手段３３が箱本体１０から露出すると、その弾性作用で外側に飛び出して箱本体１０の開口端部に係止する。この結果、位置保持手段３３により取り出し籠３０の降下が阻止されて、把手部３２から手を離しても取り出し籠３０は位置が保持される。この状態で取り出すことができ、取り出し籠３０の開放された前面側から宅配物２の取り出しが行われる。
【００１５】
このように、引き上げた取り出し籠３０は状態が保持されるので、その状態で収納されている宅配物２を開放された前方から取り出すことができる。そのため、箱本体１０の内底部に手を入れて宅配物２を取り出す必要がないし、取り出し籠３０を完全に取り出す必要も無い。よって、前方から出し入れする形態でなくても宅配物２の取り出しを実施でき、比較的狭いスペースであっても操作し易い宅配ボックス１を提供できる。
また、位置保持手段３３は、弾性を有する棒体３３ａで形成されるため、簡易な構造で済む。
【００１６】
尚、上記実施形態は、１つの収納空間Ｓのみ備えた宅配ボックス１を示したが、集合住宅に設置する場合は、この宅配ボックス１を複数設置すれば良い。
また、取り出し籠３０の周囲は、前面側以外の方向も壁がなく宅配物２の取り出しが可能となっているが、前面側以外を板部材等で閉塞して、宅配物２が落下しないよう構成しても良い。
更に、取り出し籠３０は、全体を金属の枠体で形成したが、合成樹脂製の枠体として軽量化を図っても良いし、底部の部材も金網でなく漁網のような紐を編んだネット構造としても良い。
また、位置保持手段３３を支柱３６の中間位置に配置して、取り出し籠３０を約半分引き上げた状態を保持させているが、位置保持手段３３を支柱３６の下部に配置して、取り出し籠３０のほぼ全体を露出させた状態を保持させても良い。
【符号の説明】
【００１７】
１・・宅配ボックス、２・・宅配物、１０・・箱本体、２０・・蓋板、３０・・取り出し籠、３１・・載置部、３２・・把手部、３３・・位置保持手段、３３ａ・・弾性を有する棒体（弾性部材）、Ｓ・・収納空間。
【図１】
2019162365.tif 000003
【図２】
2019162365.tif 000004
【図３】
2019162365.tif 000005